(57)【要約】【課題】  検索条件に合致する映像データを頭出しする。【解決手段】  システム制御回路２８は、表示装置２０にサーチ設定メニュー画面を表示する。ユーザは、その画面上でサーチ条件を設定する。磁気テープ２６を高速走行し、記録される映像データを再生する。検出部３２が、再生した映像データの圧縮方式、映像方式、フレームレート及びアスペクト比を検出する。検索条件に合致した映像データから磁気テープ２６を通常再生速度で走行させ、映像データを再生表示する。【選択図】  図１
2007110429.tif 000002
【特許請求の範囲】
【請求項１】
複数の映像情報を互いに異なる記録形式で記録可能な記録媒体から映像情報を再生する再生装置であって、
検索条件となる記録形式を指定する指定手段と、
当該記録媒体に記録される映像情報を順次、当該記録媒体から読み出す読み出し手段と、
当該読み出し手段で読み出された映像情報が当該検索条件に合致するか否かを判断する判断手段
とを具備することを特徴とする再生装置。
【請求項２】
前記複数の記録形式は、圧縮方式、映像信号方式、フレームレート及びアスペクト比のうちの少なくとも１つを含むことを特徴とする請求項１に記載の再生装置。
【請求項３】
更に、前記判断手段の判断結果に基づき、当該検索条件に合致する映像情報を再生する再生手段を具備することを特徴とする請求項１に記載の再生装置。
【発明の詳細な説明】
【技術分野】
【０００１】
本発明は、映像データを再生する再生装置に関する。
【背景技術】
【０００２】
従来、異なる記録形式で映像信号を磁気テープに記録するビデオカメラが知られている。記録形式の要素には、圧縮方式、映像信号方式、フレームレート及びアスペクト比等がある。
【０００３】
圧縮方式には、例えば、ＨＤ（Ｈｉｇｈ  ｄｅｆｉｎｉｔｉｏｎ）ビデオフォーマットとＳＤ（Ｓｔａｎｄａｒｄ  ｄｅｆｉｎｉｔｉｏｎ）ビデオフォーマット等がある。映像信号方式には、例えば、ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）映像信号方式、ＰＡＬ（Ｐｈａｓｅ  Ａｌｔｅｒｎａｔｉｏｎ  ｂｙ  Ｌｉｎｅ）映像信号方式及びＳＥＣＡＭ（ＳＥｑｕｅｎｔｉａｌ  Ｃｏｕｌｅｕｒ  Ａ  Ｍｅｍｏｉｒｅ）映像信号方式がある。フレームレートには、例えば、６０ｉ（インターレース）及び３０Ｆ（フレーム）等がある。アスペクト比には、１６：９及び４：３等がある。このビデオカメラは、これらの記録形式に基づき、映像データを再生している。
【０００４】
また、ビデオカメラには、撮影時に付加した撮影日の情報またはインデックス情報を用いて、変化点を頭出しする機能も知られている（特許文献１、２、３、４）。
【特許文献１】特開２００２−３００５１６号公報
【特許文献２】特開２００２−２１８３７０号公報
【特許文献３】特開２０００−２１５６１５号公報
【特許文献４】特開平０９−１６１４５５号公報
【発明の開示】
【発明が解決しようとする課題】
【０００５】
しかし、従来、異なる記録形式の映像情報が磁気テープに記録されている場合に、所望の映像情報をサーチする手段、即ち頭出しする手段が無く、編集作業などが非常に困難であった。
【０００６】
そこで、本発明は、異なる記録形式の映像情報が記録される磁気テープから所望の映像情報に迅速にアクセスできる再生装置を提示することを目的とする。
【課題を解決するための手段】
【０００７】
上記の目的を達成するために、本発明に係る再生装置は、複数の映像情報を互いに異なる記録形式で記録可能な記録媒体から映像情報を再生する再生装置であって、検索条件となる記録形式を指定する指定手段と、当該記録媒体に記録される映像情報を順次、当該記録媒体から読み出す読み出し手段と、当該読み出し手段で読み出された映像情報が当該検索条件に合致するか否かを判断する判断手段とを具備することを特徴とする。
【発明の効果】
【０００８】
本発明によれば、記録形式を比較するようにしたので、所望の映像データを迅速に検索でき、頭出しできる。
【発明を実施するための最良の形態】
【０００９】
以下、図面を参照して、本発明の実施例を詳細に説明する。
【００１０】
図１は、本発明の実施例１に係る撮像装置の概略構成ブロック図である。撮像装置１０は、デジタルビデオカメラ又はＤＶＣデジタルカムコーダ等である。撮像装置１０は、レンズ１２、撮像部１４、画像信号処理部１６、表示制御部１８、表示部２０、画像処理部２２、インターフェース部２４、磁気テープ２６、システムコントロール２８、操作部３０及び検出部３２を具備する。
【００１１】
レンズ１２は、撮像部１４のＣＣＤセンサ又はＣＭＯＳセンサの撮像素子の撮像面上に被写体像を結像する。撮像部１４は撮像素子によりレンズ１２からの被写体を電気信号に変換する。画像信号処理部１６はＡＧＣ及びＡ／Ｄ変換部を具備し、撮像部１４の出力電気信号の利得を制御し、デジタル信号に変換する。
【００１２】
表示制御部１８は、表示部２０の表示を制御し、表示部２０は、表示制御部１８の制御下で、表示制御部１８からの画像データを表示する。
【００１３】
画像処理部２２はＭＰＥＧ又はＪＰＥＧ等の画像圧縮伸長回路を具備し、画像データの圧縮／伸張及び拡大／縮小などの処理を行う。
【００１４】
インターフェース部２４は、磁気テープ２６へのデータ書き込み処理とデータ読み出し処理を制御する。磁気テープ２６は、撮像装置１０の記録媒体である。
【００１５】
システム制御回路２８は、撮像装置１０の全体を制御する。操作部３０は、システム制御回路２８に種々の指示を入力するのに使用される。操作部３０は、電源スイッチ、動作撮影キー、再生スイッチ、停止スイッチ、画像表示キー、画像送りスイッチ、画像戻しスイッチ、サーチ設定メニューボタン、記録形式選択キー、サーチ選択キー及びサーチ実行キー等を具備する。
【００１６】
検出部３２は、磁気テープ２６から再生された映像情報の圧縮方式（ＨＤビデオフォーマットかＳＤビデオフォーマット）、映像方式（ＮＴＳＣ方式かＰＡＬ方式）、フレームレート（６０ｉ、５０ｉ、３０Ｆ、２５Ｆ又は２４Ｆ）、及びアスペクト比（１６：９又は４：３）を検出する。
【００１７】
ここで、操作部３０による撮像装置１０の操作を説明する。電源スイッチは、撮像装置１０の電源をオン／オフする。動作撮影は、被写体像の動画撮影をシステム制御回路２８に指示する。再生スイッチは、動画の再生をシステム制御回路２８に指示し、停止スイッチは、再生の停止をシステム制御回路２８に指示する。画像表示キーは、動画撮影した画像のサムネイル画像の表示をシステム制御回路２８に指示する。画像送りスイッチは、次のサムネイル画像の表示をシステム制御回路２８に指示する。画像戻しスイッチは、前のサムネイル画像の表示をシステム制御回路２８に指示する。サーチ設定メニューボタンからサーチ実行キーまでの動作は、後述する。
【００１８】
次に、頭出しの動作を説明する。図２は、本実施例の頭出し動作のフローチャートである。図３は、本実施例におけるサーチ設定メニュー画面の一例である。
【００１９】
ここでは、被写体像の映像データを磁気テープ２６に記録後、ＨＤビデオフォーマット及び６０ｉの映像データを再生したい場合を考える。ユーザが、サーチ設定メニューボタンを押下すると、図３に示すようなサーチ設定メニュー画面が表示され（Ｓ１０）、記録形式ごとに検索条件を設定できる。
【００２０】
記録形式選択キーを押下すると、「圧縮方式サーチ」、「映像方式サーチ」、「フレームレートサーチ」及び「アスペクトサーチ」の何れかの項目に切り替えられる。「圧縮方式サーチ」を選択した状態で、サーチ選択キーを押下すると、「切」、「すべて」、「ＨＤ」及び「ＳＤ」の何れかにチェックが入れることができる。図３では、「ＨＤ」にチェックを入れている。同様にして、記録形式選択キーで「フレームレートサーチ」を選択し、「６０ｉ」にチェックを入れる。すなわち、図３に示す画面例では、圧縮方式がＨＤビデオフォーマットで、かつ、フレームレートが６０ｉの映像データを検索することになる。
【００２１】
なお、「切」にチェックが入ると、「切」が入った記録形式で検索が行われないことを意味する。「すべて」にチェックが入ると、すべての記録形式で検索することを意味する。「ＨＤ」と「６０ｉ」にチェックが入った状態で、サーチ実行キーが押下されると、ＨＤビデオフォーマットと６０ｉの絞り込まれた映像データの検索が開始され、頭出しされる。
【００２２】
サーチ条件を設定した後に、ユーザがサーチ実行キーを押すと、条件に合致する映像データのサーチと再生が開始される。即ち、サーチ実行キーが押下されたか否かを判別する（Ｓ１１）。ユーザは、サーチ実行キーを押下するまでは、検索条件を変更できる。
【００２３】
サーチ実行キーが押されると（Ｓ１０）、サーチ設定メニューの設定内容（Ａ０、Ｂ０、Ｃ０、Ｄ０）、即ち検索条件が保存される（Ｓ１２）。ここで、Ａ０は圧縮方式であり、Ｂ０は映像方式であり、Ｃ０はフレームレートであり、Ｄ０はアスペクト比である。
【００２４】
各Ａ０、Ｂ０、Ｃ０、Ｄ０の設定内容が保存された後（Ｓ１２）、磁気テープ２６がサーチ用に高速走行される（Ｓ１３）。そして、画像処理装置２２が、磁気テープ２６から再生された映像データを伸長し、検出部３２が、その圧縮方式（Ａ１）、映像方式（Ｂ１）、フレームレート（Ｃ１）及びアスペクト比（Ｄ１）を検出する（Ｓ１４）。検出された各再生された映像データの記録形式の各要素を、設定された検索条件と順に比較する（Ｓ１５〜Ｓ１８）。全要素が一致すると、即ち、Ａ０＝Ａ１、Ｂ０＝Ｂ１、Ｃ０＝Ｃ１、且つＤ０＝Ｄ１であると（Ｓ１８）、通常再生に移行する（Ｓ１９）。何れかの条件が一致しないと（Ｓ１５〜Ｓ１８）、ステップＳ１３に戻り、高速サーチを繰り返す。
【００２５】
この説明例では、圧縮方式がＨＤビデオフォーマットで、フレームレートが６０ｉである映像データを検出すると、通常再生に移行することになる。
【００２６】
いうまでもないが、何れかの記録形式を検出した段階で、検索条件と比較し、一致しない場合には、別の記録形式を検出せずに、ステップＳ１３に移行して、次の映像データを再生してもよいことは明らかである。
【００２７】
圧縮方式、映像方式、フレームレート及びアスペクト比の順で検索条件に合致するか否かを調べたが、この順番に限定されない。例えば、映像方式、フレームレート、アスペクト比及び圧縮方式の順に検索してもよい。
【００２８】
また、磁気テープ２６を用いる実施例を説明したが、メモリカード、ＳＤカード、光ディスク等であってもよい。
【００２９】
さらに、圧縮方式、映像方式、フレームレート及びアスペクト比を検出するようにしたが、これに限定されない。例えば、フレームごとの画像情報（撮影日時、撮影時間等）を検出するようにしてもよい。
【００３０】
このように、本実施例によれば、記録形式の検索条件に合致する映像データに頭出しできる。
【図面の簡単な説明】
【００３１】
【図１】本発明の実施例１に係る撮像装置の概略構成ブロック図である。
【図２】本発明の実施例１に係る頭出しを行うフローチャートである。
【図３】本発明の実施例１に係るサーチ設定メニュー画面のイメージ図である。
【符号の説明】
【００３２】
１０  撮像装置
１２  レンズ部
１４  撮像部
１６  画像信号処理部
１８  表示制御部
２０  表示部
２２  画像処理部
２４  インターフェース部
２６  磁気テープ
２８  システム制御回路
３０  操作部
３２  検出部
【図１】
2007110429.tif 000003
【図２】
2007110429.tif 000004
【図３】
2007110429.tif 000005